(57)【要約】【課題】  必要な部材数量を最小限にし、固定完了までの間のフェンス本体の支持を簡単にかつ安定して行い、最小限の作業で固定できるようにする。【解決手段】  支柱Ｐの上端部に正面側に突出する係止部３ｃを有するキャップ３を取付けた。係止部は先端部が支柱正面から離れる方向にやや拡開され、先端部に内側下方に切り起こされた逆止め爪３ｄが形成されている。フェンス本体を支柱に固定する際は、フェンス本体を支柱の正面に近付けて、フェンス本体の上部において縦金属線１に溶接してある横金属線２をキャップの係止部に逆止め爪よりも低い位置まで落とし込んで係止し、先端屈曲部をフェンス本体の横金属線に係合させたフックの軸部を支柱に貫通し、その軸部先端にナットを螺合してフェンス本体を支柱に固定するようにした。【選択図】      図３
2005097877.tif 000002
【特許請求の範囲】
【請求項１】
間隔をおいて縦横に配置した金属線の各交点を溶接してなる格子状金網で構成されたフェンス本体を支柱に固定してなる金網フェンスにおいて、
前記支柱の上端部に、その支柱の正面側に突出するＵ字形又はＪ字形の係止部を有するキャップを取り付け、
前記係止部はその先端部が前記支柱の正面から離れる方向にやや拡開され、前記先端部に内側下方に切り起こされた逆止め爪が形成されているものであり、
前記フェンス本体を前記支柱に固定する際は、前記フェンス本体を前記支柱の正面に近付けて、前記フェンス本体の上部において前記縦金属線に溶接してある横金属線を前記キャップの係止部に前記逆止め爪よりも低い位置まで落とし込んで係止し、先端屈曲部を前記フェンス本体の横金属線に係合させたフックの軸部を前記支柱に貫通し、その軸部先端にナットを螺合して前記フェンス本体を前記支柱に固定するようにしたことを特徴とする金網フェンス。
【請求項２】
フェンス本体の縦金属線の上部で環状部を形成するとともに、その環状部を間隔をおいて配置された横金属線で連結し、その環状部の下方の最も近い位置において縦金属線に溶接してある横金属線をキャップの係止部に係止することを特徴とする請求項１に記載の金網フェンス。
【発明の詳細な説明】
【技術分野】
【０００１】
本発明は、敷地の境界などに設置される格子状金網で構成されたフェンス本体を支柱に固定してなる金網フェンス（ネットフェンス）に関し、とくにフェンス本体の支柱に対する固定構造の改良に係るものである。
【背景技術】
【０００２】
金網フェンスにおけるフェンス本体は、間隔をおいて縦横に配置した金属線の各交点を溶接してなる格子状金網で構成されていて、外観及び形態が簡素である特長を有するので、周囲枠を設けたパネル体で構成されて重厚な外観を有するフェンス本体を支柱に取付けてなるパネルフェンスの場合と異なって、固定構造の簡素化及び固定作業の簡易化が望まれる反面、固定構造の簡素化に伴って固定作業中のフェンス本体の支持安定性が低下し易いことから、固定作業中のフェンス本体の高い支持安定性及び固定後の安全性がより強く望まれる。
【０００３】
金網フェンスにおけるフェンス本体の支柱に対する固定構造（以下、単に固定構造という。）に関しては、特許文献１及び２に開示されたものが知られている。
【特許文献１】実公平３−  ５２３９２号公報
【特許文献２】特開平８−１２８２４０号公報
【０００４】
図７は特許文献１に記載の固定構造を示す正面図、図８ないし図１０はそれぞれ図７における上部固定金具、中間固定金具及び下部固定金具を示す断面図である。
この文献における固定構造は、フェンス本体Ｆ１の各縦金属線２１の上端部を７字形に屈曲して係止部２２を形成し、フェンス本体Ｆ１の長手方向端部に位置する係止部２２を図８に示すように支柱Ｐの上端部に嵌合係止するとともに、同様の７字形に形成された上部固定金具２４ａをその上側から嵌合して、その上部固定金具２４ａ及び支柱Ｐを貫通するボルト２５ａとこれに螺合されるナット２６ａにより固定し、また、支柱Ｐの中間部においてはコ字形に形成された中間固定金具２４ｂを支柱Ｐの中間部正面から嵌合して、その中間固定金具と支柱の正面との間にフェンス本体の長手方向端部に位置する縦金属線２１ｅを介在させ、同様のボルト２５ｂとナット２６ｂにより締結して固定し、さらに、支柱Ｐの下端部においては同様のコ字形の下部固定金具２４ｃを支柱Ｐの下部正面から嵌合してその下部固定金具２４ｃと支柱の正面との間にフェンス本体Ｆ１の長手方向端部及び下部に位置する縦金属線２１ｅ及び横金属線２３ｂを介在させ、同様のボルト２５ｃとナット２６ｃにより締結して固定するようにしたものである。
【０００５】
図１１ないし図１３は特許文献２に記載の固定構造を示す正面図、平面図、及び右側面図である。
この文献における固定構造は、縦金属線３１と横金属線３３とからなるフェンス本体Ｆ２の各縦金属線３１の上端部を斜めコ字形に屈曲して係止部３２を形成するとともに、支柱Ｐの上端部にその係止部３２の先端部を載置係止できる凹溝３４を設けたキャップ３５を取り付けて、フェンス本体Ｆ２を支柱Ｐに固定する際は、フェンス本体Ｆ２の上端部の係止部３２をキャップ３５の凹溝３４に載置係止するとともに、支柱の高さ方向に間隔をもって貫通したＪ字形のフック３６の先端折曲部でフェンス本体Ｆ２の横金属線３３を抱持し、そのフックの先端を支柱Ｐに設けた孔に挿入し、さらにフックの基端ねじ部にナット３７をねじ込んで横金属線３３を支柱Ｐの正面に緊締して固定するようにしたものである。
【発明の開示】
【発明が解決しようとする課題】
【０００６】
しかしながら、特許文献１記載のものは、上部固定金具２４ａ、中間固定金具２４ｂ、及び下部固定金具２４ｃ及びこれらを支柱の締結するためのボルトナット２５ａ，２６ａ；２５ｂ，２６ｂ；２５ｃ，２６ｃなどの多数の部品及びその装着が必要であるから、部材コストがかかるとともに固定作業に多くの時間及び労力が必要であり、さらに、固定作業中のフェンス本体が不安定であるという問題がある。
【０００７】
また、特許文献２記載のものは、フェンス本体以外に必要な部材は、キャップ３５とフック３６及びナット３７のみであるから、必要部材数が大幅に減少する利点がある。しかし、支柱にフックの軸部分及び先端を各別に貫通するための孔開け加工を必要とし、また、フェンス本体Ｆ２はその上端部の斜めコ字形の係止部３２をキャップ３５の凹溝３４に載置係止するだけで支持し、その状態でフック３６の装着及びナット３７の螺合により初めて固定されるから、その間は支持状態が充分に安定ではないため、例えば風が吹き付け又は作業者が接触するなどして力が加わると容易に転倒又は脱落する恐れがあり、円滑な施工の妨げになる問題がある。
【０００８】
本発明は、上記従来技術の問題を解消するためになされたものであり、その課題は、フェンス本体以外に必要な固定用部材の数量を最小限にした固定構造において、固定完了までの間のフェンス本体の支持を簡単にかつ安定して行い、最小限の作業で固定できるようにすることにある。
【課題を解決するための手段】
【０００９】
上記課題を解決するため、本発明は、間隔をおいて縦横に配置した金属線の各交点を溶接してなる格子状金網で構成されたフェンス本体を支柱に固定してなる金網フェンスにおいて、前記支柱の上端部にその支柱の正面側に突出するＵ字形又はＪ字形の係止部を有するキャップを取り付け、前記係止部はその先端部が前記支柱の正面から離れる方向にやや拡開され、前記先端部に内側下方に切り起こされた逆止め爪が形成されているものであり、前記フェンス本体を前記支柱に固定する際は、前記フェンス本体を前記支柱の正面に近付けて、前記フェンス本体の上部において前記縦金属線に溶接してある横金属線を前記キャップの係止部に前記逆止め爪よりも低い位置まで落とし込んで係止し、先端屈曲部を前記フェンス本体の横金属線に係合させたフックの軸部を前記支柱に貫通し、その軸部先端にナットを螺合して前記フェンス本体を前記支柱に固定するようにしたことを特徴としている。
【００１０】
請求項２の発明は、上記金網フェンスにおいて、フェンス本体の縦金属線の上部で環状部を形成するとともに、その環状部を間隔をおいて配置された横金属線で連結し、その環状部の下方の最も近い位置において縦金属線に溶接してある横金属線をキャップの係止部に係止することを特徴としている。
【発明の効果】
【００１１】
請求項１の発明よれば、支柱の上端部に取付けられたキャップが支柱の正面側に突出するＵ字形又はＪ字形の係止部を有し、その係止部は先端部が支柱の正面から離れる方向にやや拡開されているから、フェンス本体を取付ける際は、フェンス本体の上部において縦金属線に溶接してある横金属線をそのキャップの係止部に容易に係合することができる。また、係止部の先端部に内側下方に切り起こされた逆止め爪が形成されているので、横金属線をその係止部の底まで係合させると、フェンス本体に上向きの力が加わっても、係止部から容易に外れることはない。従って、フェンス本体の固定作業中の支持安定性が非常に高いので、係止後のフックによる固定作業を能率よく行うことができる。すなわち、フェンス施工期間の短縮効果が得られる。また、フェンス本体を支柱から取外す場合は、フックを先に抜脱し、最後にキャップの係止部から外すことになるが、全てのフックを抜脱しても係止部から勝手に外れないのでフェンス本体の脱落による負傷の危険がない。
【００１２】
請求項２の発明によれば、フェンス本体の縦金属線の上部で環状部を形成するとともに、その環状部を間隔をおいて配置された横金属線で連結してあるので、フェンス本体の上部は非常に堅牢である。従って、フェンス本体上部の意に反した変形が防止され、環状部の下方の最も近い位置に存在する横金属線をキャップの係止部に係合する作業を、その堅牢なフェンス本体上部を把持して十分な力を加えて安定確実に行うことができる。
【発明を実施するための最良の形態】
【００１３】
次に、本発明の実施の形態について図面に基づいて説明する。
図１は本発明の一実施例である金網フェンスの一部の正面図、図２は同じく平面図、図３は図１のＸ−Ｘ拡大断面図、図４は支柱の上端部に取付けられるキャップの展開図であり、（ａ）は正面図、（ｂ）は底面図、（ｃ）は（ａ）のＹ−Ｙ断面図である。図５はフェンス本体同志を接続する中間継手を示す図１の楕円Ｚ部分の拡大図、図６は同じく同部分の横断面図である。
【００１４】
図１，２においてＦは間隔をおいて縦横に配置した金属線１，２の各交点を溶接してなる格子状金網で構成されたフェンス本体であり、Ｐは地面Ｇに立設された支柱である。
本発明に係る金網フェンスにおいては、第一に、図３に示されているように、フェンス本体Ｆの各縦金属線１の上部がほぼ矩形に屈曲されて環状部１ａが形成されている。環状部１ａの側面形状は、図示の矩形に限らず、円形、楕円形、菱形、六角形など任意である。そして、隣接する各縦金属線の環状部１ａにフェンス本体Ｆの長手方向に延長する複数本の横金属線２（ａ）が環状部の長手方向に間隔をおいた位置に内接するように溶接されている。これにより、フェンス本体Ｆの上部は籠状に形成されて大きな強度を備えているので、フェンス本体Ｆの長手方向に対して直角方向の力、例えば、多数のフェンス本体Ｆが水平状態で積み重ねられた場合の荷重や、金網フェンスの設置後に加わる大きな風力などに対して十分な耐力を備えている。
【００１５】
本発明に係る金網フェンスにおいては、第二に、支柱Ｐの上端部に新規なキャップ３が取付けられている。このキャップ３は、図４に詳細に示すように、支柱Ｐの上端面を覆う上面壁３ａと、支柱の各側面に沿って下方に延びる、図示の例では４つの側面壁３ｂと、その側面壁のうち正面側の側面壁からＵ字形又はＪ字形に一体に延び、正面方向に突出する係止部３ｃとを有している。この係止部３ｃは、その先端部と側面壁との間に形成されている溝にフェンス本体Ｆの横金属線を嵌入して係止するためのものである。そして、係止部３ｃの先端部は上方に向かってやや拡開されて、横金属線の嵌入を容易にできるようにしてある。また、係止部３ｃの先端部には、例えば半円状の切り線の内側を溝内方に切り起こすことにより、逆止め爪３ｄが形成されている。
【００１６】
上記キャップ３の支柱Ｐに対する取付け方法はとくに限定されないが、図示の例では、上記各側面壁３ｂに、逆止め爪３ｄを作る要領と同じ要領で側面壁３ｂの内側に突出する係止爪３ｅを形成し、４個の側面壁３ｂを支柱の上端部から支柱の外周面に叩き込むことにより、係止爪３ｅをその支柱の外周面に食い込ませて、容易に抜脱しないように固定している。キャップ３を固定するために支柱の外面からねじをねじ込まないので、ドライバなどの工具が必要でなく、また、年月の経過とともに支柱上端部がねじの錆で美観を損なわれることがない。
【００１７】
続いて、上記支柱Ｐに対するフェンス本体Ｆの固定方法について説明する。フェンス本体Ｆを固定するすべての支柱Ｐの上端部には、キャップ３のみが取付けられ、係止部３ｃが支柱の正面側に突出されている。そして、フェンス本体Ｆを任意の位置の隣り合う縦金属線１の間に支柱Ｐが位置するように支柱の正面に接近し、フェンス本体Ｆの環状部１ａに最も近い位置の横金属線２（ｂ）を図３に示すようにキャップ３の係止部３ｃに係合し、かつ、逆止め爪３ｄを下方に通過するまで係止部の底部まで落し込むと、逆止め爪３ｄによりその横金属線の上方復帰が阻止される。従って、この状態でフェンス本体Ｆは、支柱から外れにくく安定して支持されるので、フェンス本体Ｆを水平状態に維持したまま、そのフェンス本体Ｆの高さ方向に適当な間隔を持った位置の横金属線２に、図３に示すように、支柱に正面から背面側に貫通して設けてある孔に軸部を貫通したフック４の先端屈曲部を係合し、支柱の背面側に突出したフックの軸部にナット５を螺合し、そのフックで横金属線２を支柱の正面壁に緊締することにより、フェンス本体Ｆを支柱Ｐに固定する。  
【００１８】
この固定作業中に、フェンス本体Ｆに風や作業者から力が加えられることがあっても、フェンス本体Ｆはその上部がキャップ３の係止部３ｃに係合され、かつ、逆止め爪３ｄにより上昇復帰が阻止されているので、不要に揺動したり、傾いたりしないので、安定してフック３による固定作業を行うことができ、高い施工能率を実現することができる。
【００１９】
本発明は、キャップの係止部３ｃの逆止め爪３ｄにより固定作業中のフェンス本体の浮き上がりを防止しているので、図３に示すように、フック４はその軸部のみを支柱に貫通するだけでよく、固定作業中のフェンス本体の浮き上がりを防止するためにフックの先端屈曲部の先端を支柱に差し込む必要がないから、支柱に対する孔加工数を従来技術に比し半減することができる。
【００２０】
図１の左右のフェンス本体Ｆは、支柱Ｐから離れた位置において任意の連結手段を用いて連結されている。この連結手段の一例を図５，６に基づいて説明すると、背面側に１本の縦金属線の太さよりも若干大きな開口を有する横断面偏平Ｃ字形の連結金具６を用い、左右の隣接するフェンス本体Ｆの長手方向端部における上部、中間部及び下部などの任意の位置においてその連結金具の開口からフェンス本体の端部の縦金属線１（ｅ）を１本ずつ順次挿入し、その連結金具の正面側からねじ７を貫通して、裏側の座金８にねじ込んで、連結金具の正面部分と背面部分とで両縦金属線１（ｅ）を挟圧固定して、左右のフェンス本体Ｆを連結している。
【図面の簡単な説明】
【００２１】
【図１】本発明の一実施例である金網フェンスの一部の正面図。
【図２】同じく平面図。
【図３】図１のＸ−Ｘ拡大断面図。
【図４】支柱の上端部に取付けられるキャップの展開図であり、（ａ）は正面図、（ｂ）は底面図、（ｃ）は（ａ）のＹ−Ｙ断面図である。
【図５】フェンス本体同志を接続する中間継手を示す図１の楕円Ｚ部分の拡大図。
【図６】同じく同部分の横断面図。
【図７】従来技術による金網フェンスの正面図。
【図８】図７の金網フェンスの支柱の上部における固定状態を示す縦断面図。
【図９】図７の金網フェンスの支柱の中間部における固定状態を示す横断面図。
【図１０】図７の金網フェンスの支柱の下部における固定状態を示す横断面図。
【図１１】他の従来技術による金網フェンスの正面図。
【図１２】同じく平面図。
【図１３】同じく側面図。
【符号の説明】
【００２２】
Ｆ    フェンス本体
１        縦金属線
１ａ      環状部
１（ｅ）  端部の縦金属線
２        横金属線
２（ａ）  上部の横金属線
２（ｂ）  環状部に最も近い横金属線
Ｐ    支柱
３        キャップ
３ｃ      係止部
３ｄ      逆止め爪
【図１】
2005097877.tif 000003
【図２】
2005097877.tif 000004
【図３】
2005097877.tif 000005
【図４】
2005097877.tif 000006
【図５】
2005097877.tif 000007
【図６】
2005097877.tif 000008
【図７】
2005097877.tif 000009
【図８】
2005097877.tif 000010
【図９】
2005097877.tif 000011
【図１０】
2005097877.tif 000012
【図１１】
2005097877.tif 000013
【図１２】
2005097877.tif 000014
【図１３】
2005097877.tif 000015